(57)【要約】
【課題】天井のロックを制御する操作部をハンドルに設け、これらを操作するだけで照明器具本体の天井ロックが解除され、且つ照明器具本体を作業者の手の届く位置まで降ろすことができる
【解決手段】照明灯を保持する枠本体を天井面などに昇降手段を介して取り付ける照明器具において、枠本体１を天井面などの固定部に係止するためのフック機構４０，４１と、略水平方向から垂直方向に回動可能に保持されたハンドル２と、フック機構４０，４１の係合・解除を司るスライドアーム部４２と、このスライドアーム部４２の動きを制御する操作部とを備え、ハンドルを略垂直に垂下させた状態で操作部を操作することによって、スライドアーム部４２を介してフック機構４０，４１が解除され、同時にハンドル２を介して照明器具を安全に下降できる。
【選択図】図２
0003100340.tif 000002
【実用新案登録請求の範囲】
【請求項１】
照明灯を保持する枠本体を天井面などに昇降手段を介して取り付ける照明器具において、枠本体（１）を天井面などの固定部に係止するためのフック機構（４０）（４１）と、略水平方向から垂直方向に回動可能に保持されたハンドル（２）と、前記フック機構の係合・解除を司るスライドアーム部（４２）と、このスライドアーム部の動きを制御する操作部とを備え、前記ハンドルを略垂直に垂下させた状態で前記操作部を操作することによって、前記スライドアーム部を介してフック機構が解除され、同時にハンドルを介して照明器具を安全に下降できるようにしたことを特徴とする昇降式照明器具。
【請求項２】
前記枠本体の内部に旋回可能に連結された水平レバー（５）が設けられており、前記ハンドル（２）を捻ることによってこの水平レバーを水平旋回し、これに係合するスライドアーム部を介して前記フック機構の係合・解除を行うことを特徴とする請求項１に記載の昇降式照明器具。
【請求項３】
前記ハンドル（２）に、前記スライドアーム部（４２）に連結されたアーム操作部（２５）が設けられており、このハンドルを介して前記アーム操作部を操作することによってスライドアーム部が水平方向にスライドして前記フック機構の係合・解除を行うことを特徴とする請求項１に記載の昇降式照明器具。
【請求項４】
前記フック機構のフック片（４１）が前記スライドアーム部（４２）に設けられており、このスライドアーム部のスライドに応じて前記フック片を移動させることによって、前記フック機構の係合・解除を行うことを特徴とする請求項１から３のいずれかに記載の昇降式照明器具。
【考案の詳細な説明】
【技術分野】
【０００１】
本考案は、室内の天井等に設置する昇降可能な照明器具に関する。
【背景技術】
【０００２】
周知の通り、室内用の照明器具は天井面など比較的高い位置に固着されている。そのため、蛍光灯などの取り替えや清掃などのメンテナンスは、椅子や作業台などに載って行っていた。そのため、作業者は、限られた狭い範囲内でしか足場を確保することができないので、特に、女性や老人、或いは足の不自由な者などが作業を行う際には、転落するなどの危険性が大であった。又、照明器具が、作業台のスペースよりも大きい場合、作業台を移動しなければ全体に手が届かず、非常に煩わしいという問題もあった。
【０００３】
そのため、定時では天井面に固着されており、メンテナンス時に照明器具本体を降ろすことのできる昇降式の照明器具が種々開発されている。しかし、現在提供されている昇降式照明器具は、複雑な構造であったり電力を有するものであるため、販売値段が高かったり、昇降用の電気代が必要であるなど、一般家庭で手軽に利用することができず、高所得者など利用者が限られるという問題があった。
【考案の開示】
【考案が解決しようとする課題】
【０００４】
本考案は、一般家庭でも手軽に利用することができ、特に、主婦や老人などにも簡単に取り扱うことのできる昇降式照明器具を提供する。
【課題を解決するための手段】
【０００５】
本考案の昇降式照明器具は、照明灯を保持する枠本体を天井面などに昇降手段を介して取り付ける照明器具において、枠本体を天井面などの固定部に係止するためのフック機構と、略水平方向から垂直方向に回動可能に保持されたハンドルと、フック機構の係合・解除を司るスライドアーム部と、このスライドアーム部の動きを制御する操作部とを備え、ハンドルを略垂直に垂下させた状態で操作部を操作することによって、スライドアーム部を介してフック機構が解除され、同時にハンドルを介して照明器具を安全に下降できるようにしたことを特徴とする。
【０００６】
好ましくは、前記枠本体の内部に旋回可能に連結された水平レバーが設けられており、ハンドルを捻ることによってこの水平レバーを水平旋回し、これに係合するスライドアーム部を介して前記フック機構の係合・解除を行う。
【０００７】
又、前記ハンドルに、スライドアーム部に連結されたアーム操作部が設けられており、このハンドルを介してアーム操作部を操作することによってスライドアーム部が水平方向にスライドしてフック機構の係合・解除を行っても良い。
【０００８】
更に好ましくは、前記フック機構のフック片がスライドアーム部に設けられており、このスライドアーム部のスライドに応じてフック片を移動させることによって、フック機構の係合・解除を行う。
【考案の効果】
【０００９】
本考案の照明器具は、天井のロックを制御する操作部をハンドルに設け、これらを操作するだけで照明器具本体の天井ロックが解除され、且つ照明器具本体を作業者の手の届く位置まで降ろすことができるので（天井高さ２ｍ４０ｃｍ、標準高さ６０ｃｍの蛍光灯の場合、身長１５５ｃｍの人は十分手が届く）、蛍光灯を取り替えたり、メンテナンスをする際にも、作業台や椅子などに載る必要がなく、一人で安全に作業を行うことができる。更に、この照明器具は、簡単な構造であるので生産コストが低廉であり、昇降用の電力も不要であるので余分な電気代が要らず、一般家庭でも手軽に利用することができる。
【考案を実施するための最良の形態】
【００１０】
以下、添付図面に基づき本考案の実施例について詳細に説明する。
【００１１】
図１は、本考案に係る昇降式照明器具を天井に固定した状態を示し、内部構造を説明するために一部を破断した斜視図である。図１に示す通り、この昇降式照明器具は、上面が開口し、下面に照明灯である蛍光灯を保持する矩形状の枠本体１を有しており、この枠本体１内に一対の昇降手段３が設けられている。更に、枠本体１内の中央部には、幅方向にのびる水平レバー５が設けられ、枠本体１の側壁に設けた貫通孔１０から突出している。なお、枠本体１は、矩形状に限らず、円盤状などであっても良い。
【００１２】
そして、水平レバー５の両端部、即ち、枠本体１から突出した部分に、コの字型のハンドル２が取り付けられており、このハンドル２の開放部分が枠本体１を覆うに適した大きさをなしている。ハンドル２は、水平レバー５を中心として回転可能であり、又、水平レバー５とハンドル２との枢支部２ａが、周知技術である所望の角度で位置固定可能な多段階式回転軸であるので、ハンドル２を跳ね上げた状態で位置固定することができる（図１参照）。
【００１３】
更に、一対のロック手段４，４’が、枠本体１内に設けられており、このロック手段４，４’によって枠本体１を天井に固定している。ロック手段４，４’はフック機構を有しており、このフック機構は、枠本体１に設けたフック片４１，４１’と天井側に設けた掛止部４０，４０’とからなり、フック片４１，４１’と係止部４０，４０’とを係合することによって、枠本体１を天井に固定する。このフック片４１，４１’と係止部４０，４０’とをフック機構と総称する。そして、枠本体１内に長さ方向にのびるスライドアーム部４２の両側にフック片４１，４１’が設けられており、スライドアーム部４２が軸方向に移動自在に構成されている。更に、水平レバー５の中心は垂直軸５０で軸支され、スライドアーム部４２の中央部は水平レバー５にスライド軸５１で軸支されている。そして、縮み方向に付勢されている一対のスプリング（引きバネ）４３，４３’が、スライドアーム部４２と枠本体１内とを連結し、常時、フック機構４０，４１を係合している。
【００１４】
又、蛍光灯に電力を供給するための天井からのびる電線６０が、枠本体１を通じて蛍光灯に接続されているが、枠本体１が昇降するので、この電線６０の長さは、少なくとも昇降する距離を要する。従って、照明器具が天井に固定された状態では、余分な電線６０が枠本体１内に収容されるので、余分な電線６０を収納して絡まりを防止するための一対の電線絡み防止手段６，６’が設けられている。
【００１５】
次に、図１乃至３に基づいて、照明器具の昇降する状態について説明する。図２は、照明器具を天井から降ろした状態を示す斜視図である。一般的な天井の高さは約２ｍ４０ｃｍ（照明器具までの高さは約２ｍ３０ｃｍ）であるので、作業者は、跳ね上げられた状態（図１参照）のハンドル２に手が届かないため、長尺な引掛棒など（図示略）を用いてハンドル２を回転して降ろす。ハンドル２の回動軸２０の長さは約４０ｃｍであるため、ハンドル２をほぼ垂直に垂下することによって、ハンドル２の持ち手部２１の高さは約１ｍ９０ｃｍとなるので、身長１５５ｃｍ以上の作業者の手がハンドル２に届くことになる。
【００１６】
その後、ハンドル２を捻り、ロック手段４，４’を解除する。この機構の動作を詳細に説明すると、枠本体１に設けた貫通孔１０の長さは約３ｃｍであって、水平レバー５の直径（約１．５ｃｍ）より大きいので、ハンドル２を、図１に示す時計方向に捻ることによって、水平レバー５は垂直軸５０の周りを時計方向に若干回転する。そして、水平レバー５のスライド軸５１が回転移動し、それに伴って、スライドアーム部４２がスライド移動することにより、フック片４１，４１’が係止部４０，４０’から外れ、ロック手段４，４’が解除される。そして、ハンドル２の捻る力を緩めることにより、スプリング４３，４３’の弾性力によって、スライドアーム部４２は元の位置に戻る。
【００１７】
ロック手段４，４’を解除した状態でハンドル２を引っ張ることにより、昇降手段３，３’によって枠本体１が降下する。この昇降手段３，３’は、昇降枢支軸３０によって回転可能に連結した２つの昇降アーム部３１，３２を有し、第１昇降アーム部３１は天井枠体１０内に、第２昇降アーム部３２は枠本体１内に固着されている。そして、この昇降枢支軸３０は、前記と同様、所望の角度に位置固定できる多段階式回転軸であるので、枠本体１を任意の高さに位置決めできる（図２参照）。
【００１８】
図３は、電線絡み防止手段を説明するための斜視図である。電線絡み防止手段６，６’は、ケーシング６１，６１’を有しており、このケーシング６１，６１’の開口部６１ａ，６１ａ’が互いに向き合って配置されている。ケーシング６１，６１’内には、電線６０を引掛けることができる電線引掛け具６３，６３’が設けられており、この電線引掛け具６３，６３’は、スプリング６２，６２’によって、開口部６１ａ，６１ａ’に相反する方向に引っ張られている。そして、天井からのびる電線６０が、一方のケーシング６１’内にある電線引掛け具６３’のローラ付きの電線通し部６４’を通じて引掛けられており、更に、他方のケーシング６１内の電線引掛け具６３の電線通し部６４に引掛けられて蛍光灯に接続されている。それによって、電線６０は、常時、電線引掛け具６３，６３’によって引っ張られてケーシング６１，６１’内に収納されるので、枠本体１を天井に固定した状態（図１参照）でも電線６０が絡まらないよう構成されている。
【００１９】
図２の状態において、作業者が蛍光灯を取り替えたりメンテナンスを行った後、ハンドル２を持って枠本体１を押し上げる。それに伴って、昇降手段３，３’が折り畳まれ、そして、枠本体１を天井枠体１０に設けた縁部１１に嵌め込む。それによって、フック片４１，４１’の傾斜部が係止部４０，４０’に滑り込み、フック片４１，４１’と係止部４０，４０’とが係合し、枠本体１が天井に固定される。その後、引張棒を用いてハンドル２を跳ね上げ、枠本体１の側部に位置させて邪魔にならないようにする。
【００２０】
前記した実施例の照明器具ではハンドルに作業者の手が届かない場合、次の実施例の照明器具を天井に設置する。この実施例について、図４及び５に基づいて説明する。図４はハンドルについて、図５は昇降手段についての説明図である。
【００２１】
図４に示す通り、ハンドル２の回動軸２０は伸縮自在に構成されており、枠本体１を降ろす際、前記と同様に引張棒を用いてハンドル２を下方に降ろし、その後、回動軸２０を伸ばして手の届く位置まで持ち手部２１を降ろし、ハンドル２を捻る。この例の回動軸２０は、持ち手部２１からのびる内アーム部２３と、この内アーム部２３に嵌め込む外アーム部２２とにより構成されている。そして、内アーム部２３の上部に、スプリング２４が設けられており、内アーム部２３の外面に内突起部２３ａが、外アーム部２２の内面に外突起部２２ａが設けられている。内アーム部２３を降ろすことによりスプリング２４を伸ばし、内突起部２３ａを外突起部２２ａの下に位置させることにより各突起部２２ａ，２３ａが互いに係合して、回動軸２０が伸ばされた状態で位置固定される。更に、内突起部２３ａをずらすことにより、各突起部２２ａ，２３ａの係合が解除され、スプリング２４の付勢力によって、回動軸２０が縮む。
【００２２】
次に、図５に基づいて昇降手段の説明をする。この昇降手段３，３’は、前記と同様に、第１昇降アーム部３１，３１’と第２昇降アーム部３２，３２’とが昇降枢支軸３０，３０’で回転可能に連結されており、第２昇降アーム部３２，３２’に第３昇降アーム部３３，３３’が取り付いている。第３昇降アーム部３３，３３’は、第２昇降アーム部３２，３２’に対して同軸的に移動可能なように保持されており、第３昇降アーム部３３，３３’の下部にコロ３４，３４’が設けられている。そして、コロ３４，３４’は、枠本体１に設けた収納レール部３５，３５’内に納められており、収納レール部３５，３５’内をコロ３４，３４’が摺動することによって、第３昇降アーム部３３，３３’が昇降し、昇降手段３，３’が伸縮する構成となっている。
【００２３】
図６は、第２の実施例の昇降手段の説明図である。この昇降手段３は、枠本体１と天井枠体１０とを斜め方向に結ぶ第１及び第２昇降アーム部３１，３２を有しており、各昇降アーム部３１，３２は互いに交叉してＸ状をなし、交点が昇降枢支軸３０によって回転可能に連結されている。そして、各昇降アーム部３１，３２の上部及び下部にコロが設けられ（図示略）、各コロは、枠本体１及び天井枠体１０に設けた収納レール部３５に納められており、この収納レール部３５に沿って摺動可能である。この実施例による昇降手段３によれば、各昇降アーム部３１，３２が交叉して設けられているので、長い蛍光灯を用いた比較的重い照明器具にも十分耐久性を有する。この昇降手段３についても、前記と同様に、各昇降アーム部３１，３２を伸縮自在に構成することにより、高い天井に対しても対応可能である。
【００２４】
図７は、第３の実施例の説明図である。この実施例では、枠本体１の下面側の一方側にコの字型の側枠部１ａが設けられており、ハンドル２を跳ね上げた状態（二点鎖線）で、側枠部１ａとハンドル２とが適合して、枠本体１の下面側外周を覆う外周枠を構成する。従って、この実施例の照明器具は、天井面より突出しないよう枠本体１を天井面に嵌め込んで設けるオフィス等に適している。
【００２５】
図８及び９は、第４の実施例の説明図である。図８に示す通り、この実施例では、ハンドル２の内側にコの字状のアーム操作部２５が設けられている。図８Ａの通り、照明器具を天井に固定する際には、ハンドル２を跳ね上げて、アーム操作部２５を持ち手部２１側に位置させる。そして、照明器具を天井から降ろす際には、ハンドル２を下ろすと共に、アーム操作部２５を操作軸２６の周りに１８０度回転し、持ち手部２１とアーム操作部２５とを片手で持って握ることにより、アーム操作部２５を下方に降ろす。それによって、引張り紐４４が引っ張られるよう構成されており、スライドアーム部４２がスライド移動し、フック片４１，４１’が係止部（図示略）から外れる。そして、アーム操作部２５を握る力を緩めることにより、スプリング４３の弾性力によって、スライドアーム部４２が元の位置に戻る。
【００２６】
ハンドル２を二点鎖線で表した図９に基づいて、前記の操作機構を更に詳しく説明する。図９Ａの通り、ハンドル２を下方に降ろした際には、アーム操作部２５はハンドル２の持ち手部２１に位置している。アーム操作部２５は、その両側に設けた操作軸２６，２６’によって、ハンドル２に対して回転可能に構成されている。そして、図９Ｂの通り、操作軸２６，２６’は、ハンドル２に設けた長尺な孔部２７，２７’に貫通しているので、アーム操作部２５を操作軸２６，２６’の周りに１８０度回転して下方に移動することができ、それによって、ハンドル２内を通じて操作軸２６，２６’に取り付けられた引張り紐４４，４４’を下方に引っ張ることができる。
【００２７】
前記した通り、本考案においては、操作部を操作することによってフック機構４０，４１の係合・解除を行う。すなわち、この操作部は、第１〜３の実施例では、スライドアーム部４２に水平レバー５を係合し、この水平レバー５に連結したハンドル２を捻転することによってフック機構４０，４１の係合・解除を行う機構であり、又、第４の実施例では、スライドアーム部４２に引張り紐４４を連結し、更にこの引張り紐４４とアーム操作部２５とを連結しており、このアーム操作部２５を操作することによってフック機構４０，４１の係合・解除を行う機構をいう。従って、操作部は、スライドアーム部４２の動きを制御し、フック機構４０，４１の係合・解除を行う機構を総称するものである。
【図面の簡単な説明】
【００２８】
【図１】本考案の昇降式照明器具を天井に固定した状態を示す斜視図。
【図２】昇降式照明器具を天井から降ろした状態を示す斜視図。
【図３】電線絡み防止手段を説明する斜視図。
【図４】ハンドルについての説明図。
【図５】昇降手段についての説明図。
【図６】第２の実施例の昇降手段の説明図。
【図７】第３の実施例の説明図。
【図８】第４の実施例の説明図。
【図９】第４の実施例の説明図。
【符号の説明】
【００２９】
１　枠本体
２　ハンドル
３　昇降手段
４　フック手段
５　水平レバー
４０，４１　フック機構
４２　スライドアーム部
２５　アーム操作部
【図１】
0003100340.tif 000003
【図２】
0003100340.tif 000004
【図３】
0003100340.tif 000005
【図４】
0003100340.tif 000006
【図５】
0003100340.tif 000007
【図６】
0003100340.tif 000008
【図７】
0003100340.tif 000009
【図８】
0003100340.tif 000010
【図９】
0003100340.tif 000011